(57)【特許請求の範囲】
【請求項１】
第１の収納空間部と、第２の収納空間部と、これら第１の収納空間部と第２の収納空間部との間に位置する第３の収納空間部と、上記第１の収納空間部および上記第３の収納空間部の前面を覆う第１扉と、上記第２の収納空間部の前面を覆う第２扉と、を備えており、上記第２扉が開けられた状態で上記第２の収納空間部の前面から上記第３の収納空間部に対して収納物の出し入れが行え、上記第２の収納空間部の棚板の奥行きは上記第３の収納空間部の棚板よりも短く、平面視で上記第２の収納空間部の棚板と上記第３の収納空間部の棚板とが略Ｌ字形状をなすことを特徴とする収納棚構造。
【請求項２】
第１の収納空間部と、第２の収納空間部と、これら第１の収納空間部と第２の収納空間部との間に位置する第３の収納空間部と、上記第１の収納空間部および上記第３の収納空間部の前面を覆う第１扉と、上記第２の収納空間部の前面を覆う第２扉と、を備えており、上記第２扉が開けられた状態で上記第２の収納空間部の前面から上記第３の収納空間部に対して収納物の出し入れが行え、上記第３の収納空間部の棚板に近い側の上記第２の収納空間部の棚板の角部にカット部が形成されていることを特徴とする収納棚構造。
【請求項３】
請求項１に記載の収納棚構造において、上記第３の収納空間部の棚板に近い側の上記第２の収納空間部の棚板の角部にカット部が形成されていることを特徴とする収納棚構造。
【請求項４】
請求項１〜請求項３のいずれか１項に記載の収納棚構造において、上記第３の収納空間部自体が上記第１の収納空間部の前面から出し入れできるように設けられたことを特徴とする収納棚構造。
【請求項５】
請求項１〜請求項４のいずれか１項に記載の収納棚構造において、上記扉は引き違い戸であることを特徴とする収納棚構造。
【請求項６】
請求項１〜請求項５のいずれか１項に記載の収納棚構造において、上記第１の収納空間部の棚板の奥行きが５５０ｍｍ以上６５０ｍｍ以内で幅が６００ｍｍ以上７００ｍｍ以内であることを特徴とする収納棚構造。
【請求項７】
請求項１〜請求項６のいずれか１項に記載の収納棚構造において、上記第１の収納空間部または上記第２の収納空間部の隣にこれらと同幅の間口を有する第４の収納空間部を有することを特徴とする収納棚構造。
【発明の詳細な説明】
【技術分野】
【０００１】
この発明は、家屋内に設けられる収納棚構造に関する。
【背景技術】
【０００２】
特許文献１には、電子レンジや電気炊飯器などの調理装置を収納できるキャビネットが開示されている。また、このようなキャビネットの隣に食器棚を並べて配置することがよく行われる。
【先行技術文献】
【特許文献】
【０００３】
【特許文献１】実用新案登録第３０９８６６１号
【発明の概要】
【発明が解決しようとする課題】
【０００４】
しかしながら、上記キャビネットの奥行き寸法は上記食器棚の奥行き寸法よりも大きくされるため、上記キャビネットの隣に食器棚を並べて配置すると段差が生じ、見栄えが悪くなるという問題があった。一方、上記調理装置を収納する収納部と食器を収納する収納部を隣接させ、これら収納部の間口を同じにして扉を設け、収納部内を隠せる構造とした場合には、収納に用いられない無駄な空間が生じやすく、収納効率が悪くなる。
【０００５】
この発明は、上記の事情に鑑み、収納を効率的に行うことができ、外観の見栄えも良くできる収納棚構造を提供することを課題とする。
【課題を解決するための手段】
【０００６】
この発明の収納棚構造は、上記の課題を解決するために、第１の収納空間部と、第２の収納空間部と、これら第１の収納空間部と第２の収納空間部の間で上記第１の収納空間部に入り込んで形成され、上記第２の収納空間部の前面から収納物の出し入れが行える第３の収納空間部と、上記収納空間部の前面を覆う扉と、を有することを特徴とする。
【０００７】
上記の構成であれば、上記第１の収納空間部に入り込んで上記第３の収納空間部が形成されており、この第３の収納空間部に対して上記第２の収納空間部の前面から収納物の出し入れが行えるので、収納が効率的に行える。また、上記前面を覆う扉によって上記収納空間部の棚板等が隠されるので、外観の見栄えも良くできる。
【０００８】
上記第２の収納空間部の棚板の奥行きは上記第３の収納空間部の棚板よりも短く、平面視で上記第２の収納空間部の棚板と上記第３の収納空間部の棚板とが略Ｌ字形状をなす構成としてもよい。これによれば、上記第３の収納空間部への収納物の出し入れが容易になる。
【０００９】
上記第３の収納空間部の棚板に近い側の上記第２の収納空間部の棚板の角部にカット部が形成されていてもよい。これによれば、上記第３の収納空間部への収納物の出し入れが容易になる。
【００１０】
上記第３の収納空間部自体が上記第１の収納空間部の前面から出し入れできるように設けられていてもよい。これによれば、上記第２の収納空間部の前面が閉じられている状態でも、上記第１の収納空間部の前面から上記第３の収納空間部自体を引き出すことによって、上記第３の収納空間部内の収納物の取り出し等を行うことができる。
【００１１】
上記扉は引き違い戸であってもよい。これによれば、扉として観音扉等を採用する構成に比べて当該収納棚構造の手前側が自由に使えるようになる。
【００１２】
上記第１の収納空間部の棚板の奥行きが５５０ｍｍ以上６５０ｍｍ以内で幅が６００ｍｍ以上７００ｍｍ以内であると、上記第１の収納空間部内に電子レンジ等の調理装置を収納することができる。
【００１３】
上記第１の収納空間部または上記第２の収納空間部の隣にこれらと同幅の間口を有する第４の収納空間部を有していてもよい。
【発明の効果】
【００１４】
本発明であれば、収納を効率的に行うことができ、外観の見栄えも良くできるという効果を奏する。
【図面の簡単な説明】
【００１５】
【図１】本発明の実施形態にかかる収納棚構造を示した図であって、同図（Ａ）は平面図、同図（Ｂ）は正面図である。
【図２】図１の収納棚構造を示した図であって、同図（Ａ）は第１の収納空間部を示した側面視の説明図、同図（Ｂ）は第２の収納空間部を示した側面視の説明図である。
【図３】図１の収納棚構造において引き違い戸が閉じられた状態を示した説明図である。
【図４】図１の収納棚構造において第１の収納空間部の側の引き違い戸の開状態を示した説明図である。
【図５】図１の収納棚構造において第２の収納空間部の側の引き違い戸の開状態を示した説明図である。
【図６】図５において引き違い戸を取り外して一部を拡大して示した詳細図である。
【発明を実施するための形態】
【００１６】
以下、この発明の実施の形態を添付図面に基づいて説明する。
図１（Ａ）、図１（Ｂ）、図２（Ａ）および図２（Ｂ）に示すように、この実施形態の収納棚構造１は、第１の収納空間部１１と、第２の収納空間部１２と、上記第１の収納空間部１１と第２の収納空間部１２との間に設けられた第３の収納空間部１３と、上記収納空間部１１、１２を閉じる引き違い戸１４と、を備えており、例えば、室内天井に至る高さに設けられる。
【００１７】
上記第１の収納空間部１１の棚板１１ａは、例えば、上下３段に設けられており、奥行きが５５０ｍｍ以上６５０ｍｍ以内で幅が６００ｍｍ以上７００ｍｍ以内の大きさを有している。上側に設けられている棚板１１ａは取外し可能に設けられている。また、下側に設けられている棚板１１ａは引き出し可能に設けられており、例えば電気炊飯器２が置けるようになっている。この電気炊飯器２が置ける空間部の背面側には背板が設けられている。また、下側に設けられている棚板１１ａの下方には、キャスター付きのゴミ箱３を収納できるようになっている。さらに、中段の棚板１１ａ上には電子レンジ４が置けるようになっている。
【００１８】
上記第２の収納空間部１２の棚板１２ａの奥行きは、上記第１の収納空間部１１の棚板１１ａの奥行きよりも短い。また、最も下に設けられている棚板１２ａの下方には、キャスター付きのワゴン５を収納できるようになっている。上記棚板１２ａは、例えば図示しないダボレールに着脱可能に設けられる支持金具６によって任意の高さで支持できる。
【００１９】
上記第３の収納空間部１３は、上記第１の収納空間部１１と第２の収納空間部１２の間で上記第１の収納空間部１１の側に入り込んで形成されている。上記第１の収納空間部１１の側には、上記第３の収納空間部１３の筐体板が存在しており、上記第２の収納空間部１２の前面から上記第３の収納空間部１３に対して収納物の出し入れが行えるようになっている。また、上記第２の収納空間部１２の前面が開けられた状態では、この開けられた引き違い戸１４の縁は上記第３の収納空間部１３の開口面と略面一に位置する。さらに、この第３の収納空間部１３は、上記第１の収納空間部１１と一体的に形成されており、また、当該第１の収納空間部１１とを仕切る仕切り板１３ｂを備えている。なお、上記仕切り板１３ｂに代えて、収納物の脱落防止用の横張りの棒状体を各棚部に設けてもよいが、上記電子レンジ４等からの熱や湯気等を第３の収納空間部１３に入らせないためには、上記仕切り板１３ｂを設けておくのが望ましい。
【００２０】
また、この第３の収納空間部１３の棚板１３ａの横幅は、当該収納棚構造１における奥行き寸法と略同じ寸法になっている。上記第３の収納空間部１３の棚板１３ａと上記収納棚構造１の奥行きよりも短い上記第２の収納空間部１２の棚板１２ａとは、それらの間に少し隙間が存在するものの、平面視で略Ｌ字形状をなすことになる。また、上記第２の収納空間部１２の棚板１２ａと上記第３の収納空間部１３の棚板１３ａの高さは揃えられていないが、揃えられていてもよい。
【００２１】
上記引き違い戸１４は、上記第１の収納空間部１１の前面および上記第２の収納空間部１２の前面をそれぞれ閉じるように２枚設けられている。すなわち、上記第１の収納空間部１１と上記第２の収納空間部１２のいずれか一方だけを開放できる構造になっている。
【００２２】
図３、図４および図５は、冷蔵庫設置空間の隣に造り込まれた収納棚構造１を示しており、図３では上記第１の収納空間部１１の前面および上記第２の収納空間部１２の前面が覆われるように上記引き違い戸１４が閉じられ、図４では一方の引き違い戸１４が開かれて上記第１の収納空間部１１の前面が開放され、図５では他方の引き違い戸１４が開かれて上記第２の収納空間部１２の前面が開放された状態を示している。
【００２３】
上記の構成であれば、上記第１の収納空間部１１に入り込んで上記第３の収納空間部１３が形成されており、この第３の収納空間部１３に対して上記第２の収納空間部１２の前面から収納物の出し入れが行えるので、収納が効率的に行える。また、上記前面を覆う上記引き違い戸１４によって上記収納空間部１１、１２の棚板等が隠されるので、外観の見栄えも良くできる。
【００２４】
上記第２の収納空間部１２の棚板１２ａと上記第３の収納空間部１３の棚板１３ａとが平面視で略Ｌ字形状をなすと、図６にも示しているように、上記棚板１３ａの奥に手が届き易くなり、上記第３の収納空間部１３への収納物の出し入れが容易になる。ここで、上記第３の収納空間部１３の棚板１３ａに近い側の上記第２の収納空間部１２の棚板１２ａの角部に直線または曲線でカット部が形成されていると、服の袖などが上記角に引っ掛かりにくくなり、上記第３の収納空間部１３への収納物の出し入れが容易になる。
【００２５】
上記前面を閉じる扉が引き違い戸１４であると、観音扉等を採用する構成に比べて当該収納棚構造１の手前側が自由に使えるようになる。また、上記第１の収納空間部１１の棚板１１ａの奥行きが５５０ｍｍ以上６５０ｍｍ以内で幅が６００ｍｍ以上７００ｍｍ以内であると、上記第１の収納空間部１１内に電子レンジ４等の調理装置を確実に収納することができる。
【００２６】
なお、上記の実施形態では、上記第３の収納空間部１３と上記第１の収納空間部１１とが一体的に設けられたが、これに限らず、上記第３の収納空間部１３と上記第１の収納空間部１１とが別体に設けられ、上記第３の収納空間部１３自体が上記第１の収納空間部１１の前面から出し入れできる構造としてもよい。この出し入れのための移動は、上記第３の収納空間部１３を構成する筐体部が、例えば床と天井側に設けられたレール部材によって支持されることで実現できる。このように、上記第３の収納空間部１３自体が出し入れ可能に設けられていると、上記第２の収納空間部１２の前面が閉じられている状態でも、上記第１の収納空間部１１の前面から上記第３の収納空間部１３自体を引き出すことによって、上記第３の収納空間部１３内の収納物の取り出し等を行うことができる。
【００２７】
上記第３の収納空間部１３自体の上記出し入れは、その全体の出し入れに限らず、上記第３の収納空間部１３を上下に分割した場合の上部側或いは下部側だけの出し入れ、または、上記第３の収納空間部１３を前後に分割した場合の前部側だけの出し入れが行われる構造としてもよい。
【００２８】
また、上記の実施形態では主となる収納空間部が上記第１の収納空間部１１と上記第２の収納空間部１２の２つからなる構成としたが、これに限らず、上記第１の収納空間部１１または上記第２の収納空間部１２の隣にこれらと同幅の間口を有する収納空間部を備えてもよい。また、このような構造においては、例えば、３枚の引き違い戸を備える構成を採用できる。
【００２９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３０】
１      収納棚構造
１１    第１の収納空間部
１１ａ  棚板
１２    第２の収納空間部
１２ａ  棚板
１３    第３の収納空間部
１３ａ  棚板
１３ｂ  仕切り板
１４    引き違い戸（扉）
２      電気炊飯器
４      電子レンジ
【図１】
0005932744.tif 000002
【図２】
0005932744.tif 000003
【図３】
0005932744.tif 000004
【図４】
0005932744.tif 000005
【図５】
0005932744.tif 000006
【図６】
0005932744.tif 000007